(57)【要約】【課題】無線通信機能を有しない電気機器を無線通信可能にするには、電気機器の外部に無線送受信機器を接続して無線データの送受信を行っていた。従来の方法では、電気機器用と無線送受信機器用の２つの別々の電源が必要な為、コードとＡＣアダプタが２セット必要になる問題と、電気機器の電源スイッチが切れている時も無線機器の電源は入ったままなので無駄な電力を消費する問題があった。この問題を解決する事を目的とする。【解決手段】電気機器に使用するＡＣアダプタに無線送受信機能を搭載して、電源とデータ通信のコードを一体化し、電気機器にある従来のポートをそのまま利用可能にすることで、無線送受信機を電気機器に直接接続する事無く、従来のＡＣアダプタを本発明のＡＣアダプタに置き換えるだけで、電気機器を無線通信可能にする。【選択図】        図１
2005020125.tif 000002
【特許請求の範囲】
【請求項１】
電気機器に使用するＡＣアダプタに於いて、無線通信を行う為の無線送受信機器と、無線送受信機器に電源を供給する為の電源装置と、無線信号を送受信する為のアンテナと、無線送受信機器と電気機器がデータをやり取りする為のデータ通信コードと、前記コードと電気機器へ電源供給する為の電源コードを一本化した電源データ通信一体型コードを有し、前記コードの端に電気機器用電源コネクタとデータ通信用コネクタとを具備し、電気機器へ電源及び無線通信データを供給する事を特徴とする無線送受信機能付きのＡＣアダプタ。
【請求項２】
請求項１のＡＣアダプタに於いて、電気機器用電源コネクタとデータ通信用コネクタを一体化したコネクタを具備したＡＣアダプタ。
【請求項３】
請求項１のＡＣアダプタに於いて、データ通信用コネクタとしてプリンタポート用コネクタを具備したＡＣアダプタ。
【請求項４】
請求項１のＡＣアダプタに於いて、電源とデータ通信の一体型コードと、ＡＣアダプタとの接続を取外し可能なコネクタ接続とし、コネクタ接続用端子を具備したＡＣアダプタ。
【請求項５】
請求項１のＡＣアダプタに於いて、無線信号を送受信する為のアンテナをＡＣアダプタの内部に搭載したＡＣアダプタ。
【請求項６】
請求項１のＡＣアダプタに於いて、無線信号を送受信する為のアンテナを電源データ通信一体型コードに内蔵し、電源、データ通信及びアンテナを一体型コードとしたＡＣアダプタ。
【請求項７】
請求項１のＡＣアダプタに於いて、ＡＣアダプタに接続される電気機器の電源スイッチが切れている、もしくは電気機器が外れている状態の時に、電源データ通信コードを介して前記電気機器の状態を検知し、ＡＣアダプタに搭載している無線送受信機器の機能を停止させ、省電力モードになることを特徴とするＡＣアダプタ。
【発明の詳細な説明】
【０００１】
【発明の属する技術分野】
本発明は、無線送受信機器を搭載したＡＣアダプタに関するものである。
【０００２】
【従来の技術】
図６は従来の無線送受信機器をプリンタに接続した時の例である。
【０００３】
無線通信機能を有しないプリンタ３３を無線通信可能にするには、プリンタ３３の外部に無線送受信機器３１を接続し、無線送受信機器用ＡＣアダプタ２８から無線送受信機器用電源コード３０を介して無線送受信機器３１に電源を供給させ、アンテナ３２を使って無線データの送受信を行っていた。
【０００４】
この時プリンタ３３には、プリンタ用電源コード２９を介してプリンタ用ＡＣアダプタ２６が接続されており、プリンタ３３に接続された無線送受信機器３１には無線通信用のアンテナ３２と、無線送受信機器用電源コード３０を介して無線送受信機器用ＡＣアダプタ２８が接続されている。
【０００５】
その為、プリンタ３３にはプリンタ用電源コード２９と無線送受信機器用電源コード３０の２つの電源コードが接続されており、それぞれのコードにはプリンタ用ＡＣアダプタ２６、無線送受信機器用ＡＣアダプタ２８の２つのアダプタが繋がっている。
【０００６】
なお、特開２０００−１１４８４１には、車などに搭載されたアンテナを、電源と同時に利用できるようにするアンテナ端子付きシガーライターアダブターが記載されているが、これは、携帯電話などに、電源を供給するとともに、車などのアンテナも利用することができるようにするものである。
【０００７】
【発明が解決しようとする課題】
しかしながら、上記従来の無線送受信機器をプリンタに接続した構成では次の問題点があった。
【０００８】
（１）プリンタ３３に直接無線送受信機器３１を接続する為、プリンタ３３用と無線送受信機器３１用の２つの電源が必要で、電源コードが２本、ＡＣアダプタが２つになり、邪魔になるという問題があった。
【０００９】
（２）プリンタ３３に直接無線送受信機器３１を接続する為、プリンタ３３に無線送受信機器３１やアンテナ３２による突起が生じ、余分なスペースを取るという問題があった。
【００１０】
（３）無線送受信機器３１の電源は独立している為、プリンタ３３の電源が切れている状態であっても、無線送受信機器３１の電源は入ったままになってしまい、余計な電力を消費してしまうという問題があった。
【００１１】
本発明の課題はこの様な問題を解決する事を目的とする。
【００１２】
【課題を解決するための手段】
電気機器に使用するＡＣアダプタに、無線送受信機器と、無線送受信機器の電源装置と、無線信号を送受信する為のアンテナとを、電気機器の電源コードのＡＣアダプタに搭載する事で、無線送受信機及びアンテナを電気機器に直接接続する事無く無線通信を可能とする手段を提供する。
【００１３】
【発明の実施の形態】
［実施例］
図１は本発明の第一例で、本発明のＡＣアダプタをプリンタに接続した例である。
【００１４】
無線送受信機器一体型ＡＣアダプタ３は、無線送受信に必要な機能を搭載したＡＣアダプタであり、ＡＣプラグ２、無線送受信機器及びその電源装置、アンテナ１、電源データ通信一体型コード４からなる。電源データ通信一体型コード４は、無線送受信機器とプリンタ７がデータをやり取りする為のデータ通信コード６と、前記コードとプリンタ７へ電源供給する為の電源コード５が一本化した一体型コードである。電源データ通信一体型コード４の端は、プリンタ７用の電源コード５と、データ通信コード６に分かれ、それぞれプリンタ７に繋がる。
【００１５】
プリンタ７の電源は、電源データ通信コード４を使って無線送受信機器一体型ＡＣアダプタ３から供給し、無線送受信機器一体型ＡＣアダプタ３に搭載の無線送受信機器の電源は、無線送受信機器一体型ＡＣアダプタ３の内部から供給する。
【００１６】
他の無線機器が発した無線信号データは無線送受信機器一体型ＡＣアダプタ３に搭載したアンテナ１で受信する。受信した無線信号データは無線送受信機器が通常の電気信号データに変換し、電源データ通信コード４を介してプリンタへ伝達される。プリンタ７にエラーが生じた時には、エラー信号をプリンタ７から電源データ通信コード４を介して無線送受信機器に伝達する。無線送受信機器は伝達されたエラー信号を無線信号に変換し、アンテナ１を使って他の無線機器へ送信する。このように、無線送受信機器一体型ＡＣアダプタ３に搭載の無線送受信機器と他の無線機器との無線通信は、アンテナ１を使って行い、無線送受信機器とプリンタ７のデータ通信は、電源データ通信コード４を使って行う。
【００１７】
この方法によれば、無線送受信機器一体型ＡＣアダプタ３とプリンタ７の接続に必要なのは電源データ通信一体型コード４の１本のみであり、ＡＣアダプタが１つで済み、余分なＡＣアダプタやコードが不要となる。
【００１８】
次に図２の本発明コネクタの第二例について説明する。
【００１９】
電源データ通信一体型コード１２の電気機器接続側の端は、電気機器電源供給用の電源コード９と、無線送受信機器と電気機器のデータ通信用のデータ通信コード１１に分岐し、それぞれ電源コネクタ８、コネクタ１０が繋がっている。電源コネクタ８は電気機器の電源ポートに接続し、コネクタ１０は電気機器のデータ通信用ポートに接続する。
【００２０】
この方法によれば、電気機器にある従来のＡＣアダプタの電源ポートとデータ通信用ポートをそのまま利用出来きるので、従来のＡＣアダプタを本発明の無線送受信機器一体型ＡＣアダプタ３に置き換えるだけで、電気機器を無線通信可能にする事が出来る。
【００２１】
次に図３の本発明コネクタの第三例について説明する。
【００２２】
電源データ通信一体型コード１４の電気機器接続側では、電源用コネクタとデータ通信用コネクタを一体化した電源データ通信一体型コネクタ１３が繋がっている。この方法により、電気機器へのコネクタの接続は１度で行える。
【００２３】
次に図４の本発明コネクタの第四例について説明する。
【００２４】
電源データ通信一体型コード１９の電気機器接続側では、電気機器電源供給用の電源コード１６と、無線送受信機器と電気機器のデータ通信用のデータ通信コード１８に分岐し、電源コード１６には電源コネクタ１５、データ通信コード１８にはプリンタ専用のプリンタポート用コネクタ１７が繋がっている。この方法により、プリンタのＡＣアダプタを本発明のＡＣアダプタに置き換え、電源コネクタ１５とプリンタポート用コネクタ１７をプリンタ側のそれぞれのポートに接続するだけで、プリンタを無線通信可能にする事が出来る。
【００２５】
次に図５の本発明コネクタの第五例について説明する。
【００２６】
電源データ通信一体型コード２０の無線送受信機器一体型ＡＣアダプタ２４側の端は、取外しが可能なコネクタ２１が繋がっており、コネクタ２１は無線送受信機器一体型ＡＣアダプタ２４のコネクタ差込口２３に接続する。無線送受信機器一体型ＡＣアダプタ２４、コネクタ２１及びコネクタ差込口２３は、電源データ通信一体型コード２０の電気機器側の端が、図２、図３、図４に示した何れのコネクタの場合でも使えるような機能を有する。この方法によれば、電源データ通信一体型コード２０の電気機器側のコネクタ形状に因ら無い為、どのコネクタを使った電源データ通信一体型コード２０の場合でもＡＣアダプタを共通に使う事が出来る。
【００２７】
次に、請求項５及び請求項６について説明する。
【００２８】
図１に於いて無線送受信機器一体型ＡＣアダプタ３に搭載したアンテナ１を、無線送受信機器一体型ＡＣアダプタ３の内部に搭載する、またはアンテナ１を電源データ通信一体型コードに内蔵して電源、データ通信及びアンテナを一体型にしたコードにする。この方法により、無線送受信機器一体型ＡＣアダプタ３のアンテナ１による突起を無くす事が出来る。
【００２９】
次に、請求項７の電気機器の状態を検知する方法について、電気機器がＰＣやＰＣの周辺機器などの場合でＵＳＢ（Ｕｎｉｖｅｒｓａｌ  Ｓｅｒｉａｌ  Ｂｕｓ）を例に説明する。ＵＳＢコネクタにはＤ＋とＤ−の端子があり、電気機器の電源スイッチが入っていれば、このＤ＋とＤ−の何れかの電圧がＨｉｇｈである。その為、Ｄ＋とＤ−の端子の電圧が両方Ｌｏｗもしくはオープン状態であれば、電気機器の電源スイッチは切れているか電気機器が外れているかのどちらかであると判断することが出来る。このＤ＋とＤ−の信号の状態を、電源データ通信用のコードを介して無線送受信機器が検知し、電気機器が前記状態の時は、無線送受信機器の機能を停止させ省電力モードにすることで、無線送受信機器の節電が出来る。
【００３０】
【発明の効果】
以上説明したように本発明によれば、次の様な効果が期待できる。
【００３１】
▲１▼電気機器にある従来のＡＣアダプタの電源ポートとデータ通信用ポートをそのまま利用出来るので、従来のＡＣアダプタを無線送受信機器一体型ＡＣアダプタと交換するだけで、電気機器に無線機能を付加することが出来る。
【００３２】
▲２▼線送受信機器を電気機器のＡＣアダプタに搭載する事で、無線送受信機器を電気機器に直接接続しなくて済み、無線送受信機器やアンテナによる突起を電気機器から無くす事が出来る。
【００３３】
▲３▼電源データ通信一体型コードと無線送受信機器一体型ＡＣアダプタの接続を取外し可能なコネクタ接続にすることで、電源データ通信一体型コードの電気機器側のコネクタ形状に因らず、ＡＣアダプタを共通に使う事が出来る。
【００３４】
▲４▼電気機器のＡＣアダプタから電気機器の状態を検知して、ＡＣアダプタに搭載した無線送受信機器の機能を停止し省電力モードにすることで、無線送受信機器の節電が出来る。
【図面の簡単な説明】
【図１】本発明の第一例のＡＣアダプタとプリンタの接続を表す図
【図２】本発明の第二例のコネクタを表す図
【図３】本発明の第三例のコネクタを表す図
【図４】本発明の第四例のコネクタを表す図
【図５】本発明の第五例のコネクタを表す図
【図６】従来の無線送受信機器とプリンタの接続を表す図
【符号の説明】
１  アンテナ
２  ＡＣプラブ
３  無線送受信機器一体型ＡＣアダプタ
４  電源データ通信一体型コード
５  電源コード
６  データ通信コード
７  プリンタ
８  電源コネクタ
９  電源コード
１０  コネクタ
１１  データ通信コード
１２  電源データ通信一体型コード
１３  電源データ通信一体型コネクタ
１４  電源データ通信一体型コード
１５  電源コネクタ
１６  電源コード
１７  プリンタポート用コネクタ
１８  データ通信コード
１９  電源データ通信一体型コード
２０  電源データ通信一体型コード
２１  コネクタ
２２  アンテナ
２３  コネクタ差込口
２４  無線送受信機器用ＡＣアダプタ
２５  ＡＣプラグ
２６  プリンタ用ＡＣアダプタ
２７  ＡＣプラグ
２８  無線送受信機器用ＡＣアダプタ
２９  プリンタ用電源コード
３０  無線送受信機器用電源コード
３１  無線送受信機器
３２  アンテナ
３３  プリンタ
【図１】
2005020125.tif 000003
【図２】
2005020125.tif 000004
【図３】
2005020125.tif 000005
【図４】
2005020125.tif 000006
【図５】
2005020125.tif 000007
【図６】
2005020125.tif 000008